(57)【特許請求の範囲】
【請求項１】
軸筒内に配設した、コイルスプリングにより軸筒後端方向に付勢した複数の筆記体と、軸筒に設けた摺動溝に摺動自在に収納され、各筆記体の後部に連接した摺動体と、当該摺動体に一体に形成又は付設した、前記摺動溝から外方に突出する操作部と、前記操作部を軸筒先端方向にスライドすることにより、筆記体の筆記部の突出を維持する出没機構と、前記軸筒の後端部に付設したクリップと、を具備してなるスライド式の多芯筆記具において、前記クリップが、少なくとも長手方向に沿って延びるクリップ片と、該クリップ片を装着するクリップ台とからなり、前記クリップが、前記軸筒の後端部、且つ前記摺動溝と周方向の異なる位置に形成した、長手方向に沿って延びる装着溝に、クリップ台に設けた突起が、装着溝に設けた突起との乗り越し嵌合によって着脱自在に付設されており、前記装着溝は、前記軸筒の後端に設けた開口部と連通するように設けられ、前記軸筒の後端部に、前記軸筒の後端を閉鎖する頭冠を着脱自在に装着してあることを特徴とするスライド式の多芯筆記具。
【請求項２】
前記クリップ台の先端部に形成した、前記クリップ片に向かって突出する係止部が、軸筒表面から突出することを特徴とする請求項１に記載のスライド式の多芯筆記具。
【請求項３】
前記クリップが、クリップ片とクリップ台との連結部を支点としクリップ台に対しクリップ片の内壁の先端部を軸筒から離間可能に配設、且つ前記クリップ片とクリップ台との間に配設したコイルスプリングによって、クリップ片の先端部を常時クリップ台の外面に弾性的に圧接したことを特徴とする請求項１または２に記載のスライド式の多芯筆記具。
【発明の詳細な説明】
【技術分野】
【０００１】
本発明は、軸筒内に複数の筆記体を収容したスライド式の多芯筆記具に関する。
【背景技術】
【０００２】
多芯筆記具において、特開２００３−１１５８３号公報「スライド式の多芯筆記具」では、各筆記体の後部に操作部を設けた摺動体を連接し、操作部を軸筒の外方に突出させ、操作部を摺動体に着脱自在に装着したことにより、使用者の好みにあった筆記体に交換した際に、誤った筆記体の選択をすることなく、また操作部の形状や色柄も選択可能とした構成は開示している。
【０００３】
また、特開２００７−３８６３５号公報「多芯筆記具」では、軸筒の後端に、摺動溝を後方に開口させる開口部を設け、前記開口部から、前記摺動体を、軸筒内から取り外し可能及び軸筒内に挿入可能に、蓋体を軸筒に設けたヒンジ部等の被係合部に、回動自在に装着した構成が開示されている。
【０００４】
前述したような、スライド式の多芯筆記具において、ポケットなどへ挟着することを鑑みて、クリップを具備することが必要である。
【先行技術文献】
【特許文献】
【０００５】
【特許文献１】特開２００３−１１５８３号公報
【特許文献２】特開２００７−３８６３５号公報
【発明の開示】
【発明が解決しようとする課題】
【０００６】
ところで、近年、軸筒にスクリーン印刷やフィルム転写等により、色や図形、模様など軸筒に加飾を施すことが望まれている。しかしながら、軸筒後端部に、蓋体を係合する被係合部やクリップを一体に設けると、軸筒に加色し難いという問題があった。
【０００７】
本発明の目的は、クリップを有するスライド式の多芯筆記具において、軸筒に加飾を施しやすい構造を提供するものである。
【課題を解決するための手段】
【０００８】
上記目的を達成するために、本発明は、軸筒内に複数の筆記体をコイルスプリングにより軸筒後端方向に付勢して配設し、各筆記体の後部に連接した摺動体を、軸筒に設けた摺動溝に摺動自在に収納するとともに、前記摺動体に、前記摺動溝から外方に突出する操作部を一体に形成または付設し、前記操作部を軸筒先端方向にスライドすることにより、筆記体の筆記部の突出を維持し、前記軸筒の後端部にクリップを付設してなるスライド式の多芯筆記具において、前記クリップが、少なくとも長手方向に沿って延びるクリップ片と、該クリップ片を装着するクリップ台とからなり、前記軸筒の後端部、且つ前記摺動溝と周方向の異なる位置に、長手方向に沿って延びる装着溝を形成し、前記軸筒の後端に、前記装着溝の後方と連通する開口部を設けるとともに、前記軸筒の後端部に頭冠を、前記軸筒の後端を露出及び閉鎖可能に装着し、前記軸筒後端の開口部から、前記クリップ台を着脱自在に装着することを特徴とする。
【０００９】
また、前記クリップ台の先端部に、前記クリップ片に向かって突出する係止部を形成し、該係止部が、軸筒表面から突出することを特徴とする。
【００１０】
また、前記クリップが、クリップ片とクリップ台との間に配設したコイルスプリングによって、クリップ片の先端部を常時、クリップ台の外面に弾性的に圧接するとともに、クリップ片の後端部をクリップ台側へ押圧することにより、クリップ片とクリップ台との連結部を支点としクリップ台に対しクリップ片の内壁の先端部を軸筒から離間可能に配設することを特徴とする。
【００１１】
本願発明の請求項１の構成によれば、前記クリップが、少なくとも長手方向に沿って延びるクリップ片と、該クリップ片を装着するクリップ台とからなり、前記軸筒の後端部、且つ前記摺動溝と周方向の異なる位置に、長手方向に沿って延びる装着溝を形成し、前記軸筒の後端に、前記装着溝の後方と連通する開口部を設けるとともに、前記軸筒の後端部に頭冠を、前記軸筒の後端を露出及び閉鎖可能に装着し、前記軸筒後端の開口部から、前記クリップ台を着脱自在に装着することで、クリップを装着前の軸筒の外面にスクリーン印刷、特にフィルム転写を行うときに、摺動溝間及び装着溝と摺動溝間の軸筒の外面に、大きな凹凸等がなく、きれいに印刷や転写を行うことができる。また、クリップもクリップ片とクリップ台とからなるため、クリップ片に加飾を施しやすく、クリップをユーザーの所望に加飾したクリップに交換することができる。
【００１２】
本願発明の請求項２の構成によれば、前記クリップ台の先端部に、前記クリップ片に向かって突出する係止部を形成し、該係止部が、軸筒表面から突出することで、クリップ片に影響することなく、クリップ片とクリップ台との挟持力を高めることができる。
【００１３】
本願発明の請求項３の構成によれば、前記クリップが、クリップ片とクリップ台との間に配設したコイルスプリングによって、クリップ片の先端部を常時、クリップ台の外面に弾性的に圧接するとともに、クリップ片の後端部をクリップ台側へ押圧することにより、クリップ片とクリップ台との連結部を支点としクリップ台に対しクリップ片の内壁の先端部を軸筒から離間可能に配設してあるため、クリップ片とクリップ台との挟持力を高めることができ、クリップを取り外して使用することもできる。
【発明の効果】
【００１４】
本発明は、クリップを有するスライド式の多芯筆記具において、軸筒に加飾を施しやすい構造を提供することができた。
【図面の簡単な説明】
【００１５】
【図１】実施例１の多芯筆記具を示す縦断面図である。
【図２】図１におけるＡ−Ａ断面図である。
【図３】図１における頭冠及びクリップを取り外した状態を示す図である。
【図４】図３における頭冠及び弾性部材を示す拡大図である。
【図５】図３における矢印Ｆ方向から見た外観図である。
【図６】図１におけるクリップを示す拡大図である。
【発明を実施するための最良の形態】
【００１６】
次に図面を参照しながら、本発明のスライド式の多芯筆記具の実施例を説明するが、本発明は以下の実施形態に限定されるものではない。
【００１７】
実施例１
図１〜図６に示す実施例１のスライド式の多芯筆記具１は、前軸２の雄ネジ部２Ｂと後軸３の雌ネジ部３Ｅを螺合により取り付けられる軸筒本体内に複数本（３本）の筆記体が前後方向に移動可能に収容されている。筆記体９の後部には、筆記体９のインキ収容筒１０に収容した筆記具用インキと同色の摺動体６を配設してあり、筆記体９は、コイルスプリング１７により後方に付勢してあり、他の筆記体１３は、筆記体９と同様にして、筆記体１３の後部には、筆記体１３のインキ収容筒１４に収容した筆記具用インキと同色の摺動体２２を配設してある。摺動体２３を配設した、もう一方の筆記体は詳細は図示していないが、３本の筆記体を配設した従来から知られている出没機構のスライド式の多芯筆記具１である。
【００１８】
筆記体９について詳述すると、インキ収容筒１０の先端部に、φ０．５ｍｍのボールを回転自在に抱持したボールペンチップ１２からなる筆記部を、チップホルダー１１を介して装着してある。また、インキ収容筒１０内には、平均粒径が５μｍの可逆熱変色性のマイクロカプセル顔料を含有し、ＥＭ型回転粘度計における１ｒｐｍでのインキ粘度が１０２０ｍＰａ・ｓ（２５℃）、１００ｒｐｍでのインキ粘度が８４ｍＰａ・ｓ（２５℃）で、剪断減粘指数が０．４８の筆記具用水性インキと、このインキの後端に、グリース状のインキ追従体（図示せず）を直に収容してある。尚、インキ粘度は、ＥＭ型回転粘度計における１００ｒｐｍ、２０℃において、４０〜２００ｍＰａ・ｓとすることが好ましい。
【００１９】
後軸３の後部には、前後方向に延びる細長状の摺動溝３Ａ、３Ｂ、３Ｃが３本、形成してあり、互いに、１２０度間隔に形成される。また、摺動溝３Ａ、３Ｂ、３Ｃは、後方が開口していて、後軸３の後端で連通する開口部３ＡＡ、３ＢＡ、３ＣＡを有している。後軸３の後端部は略円筒状であって、後軸３の外面には予めフィルム転写を施してある。
【００２０】
後軸３内には、略円筒状のスプリング支持部７を固着している。スプリング支持部７は、筆記体９、１３等、３本の筆記体が挿通される内孔が軸方向に貫設し、スプリング支持部７と、各々の摺動体６間には、コイルスプリング１７が配置し、筆記体９及び摺動体６を後方に付勢してある。尚、図示はしていないが、他の摺動体も摺動体６と同様に、スプリング支持部７と、各々の摺動体間には、コイルスプリングが配置し、筆記体及び摺動体を後方に付勢してある。
【００２１】
また、後軸３の後部、且つ後軸３の摺動溝３Ｂ、３Ｃ間には、長手方向に沿って延びる凹状の装着溝３Ｄを形成してあり、この装着溝３Ｄにクリップ２０を付設してある。装着溝３Ｄは、後軸３の後端に開口部３ＤＡを有していて、開口部３ＤＡと装着溝３Ｄとが連通している。この装着溝３Ｄに、クリップ２０のクリップ片１９を装着するクリップ台１８を挿入し、後軸３の後方側から前軸２側に押し込むことで、クリップ台１８に設けた突起が、装着溝３Ｄに設けた突起との乗り越し嵌合によって、後軸３にクリップ台１８を着脱自在に付設してある。
【００２２】
また、後軸３の後部には、雄ネジ部３Ｆを設けてあり、この雄ネジ部３Ｆに、頭冠４の雌ネジ部４Ａをネジ嵌合によって着脱自在に装着してある。この頭冠４を取り外すことで、後軸３の後端を露出することができ、筆記具全長Ｌから筆記具全長Ｍに短くすることができる。また、頭冠４の外面には、フィルム転写によって加飾を施してある。
【００２３】
頭冠４には、ゴム状弾性を有する弾性部５が装着してある。具体的には、頭冠４に設けた嵌合突部４Ｂに、シリコーンゴムからなる弾性部５の突部５Ａを落とし込み嵌合によって、容易に抜けないように装着してある。また、頭冠４の螺着終了時には、弾性部５の先端部５Ｂは、後軸３に当接している。
【００２４】
筆記体８のボールペンチップからなる筆記部１１を前軸２の先端開口部２Ａから突出させるには、摺動体６の操作部６Ａを、摺動溝３Ａに沿って、前軸２の先端開口部２Ａ方向へスライドすることにより、摺動体６に形成した係合突起６Ｂが後軸３内に形成した係止部（図示せず）に係止して、筆記体９の筆記部１１を前軸の先端開口部２Ａから選択して突出を維持して、筆記することができる。また、弾性部５を筆記面Ｔに圧接し、擦ることで発生する熱によって、筆跡を変色させることができる。
【００２５】
筆記体８の筆記部１１が前軸の先端開口部２Ａから突出を維持した状態で、他の摺動体２１の操作部２１Ａを前軸２の先端開口部２Ａ方向にスライドすることで、摺動体２０の解除突起が摺動体６の係止を解除し、コイルスプリング１７により筆記体８の筆記部１１を前軸２内に没入させることができる。
【００２６】
クリップ２０は、クリップ片１９を、クリップ台１８の外壁に設けられた支柱１８に連結し、クリップ片１９の内壁とクリップ台１８との間であって支柱１８Ａの後方に配設されるコイルスプリング２１によって、クリップ片１９の先端部の内壁を常時、クリップ台１８の外壁の外面に弾性的に反発させるとともに、クリップ片１９の後端部をクリップ台１８側へ押圧（図６の矢印Ｇ方向）することにより連結部を支点としクリップ台１８に対しクリップ片１９の先端部の内壁をクリップ台１８から離間可能に配設してある。また、クリップ台１８の先端部には、クリップ片１９に向かって突出する係止部１８Ｂを形成してある。
【００２７】
頭冠４が後軸３の後端を閉鎖した状態から、後軸３と頭冠４のネジ嵌合３Ｃ、４Ａを外し、後軸３の後端を露出させる。摺動溝３Ｄは、後軸３の後端に開口部３ＤＡを有していて、開口部３ＤＡと摺動溝３Ｄとが連通しているので、この状態であればクリップ２０を取り出すことができる。また、摺動溝３Ａ、３Ｂ、３Ｃは、後軸３の後端に開口部３ＡＡ、３ＢＡ、３ＣＡを有しているため、頭冠４の装着前に、後軸３の後方から摺動体６、２２、２３の面積を多く視認することができ、誤った摺動体を配設することを抑制できる。
【００２８】
本実施例では、便宜上、ボールペンを３本配設してあるが、筆記体には、例えば、ボールペン、マーキングペン、シャープペンシル等が挙げられる。また、筆記体の本数は、２本以上であればよく、具体的には、２本、３本、４本、５本、６本等が挙げられる。
【００２９】
また本実施例では、便宜上、頭冠をネジ嵌合することで、軸筒の後端を開閉自在としてあるが、頭冠の装着方法は、軸筒後端部にヒンジ部を形成し、頭冠を軸筒に対し回動自在に配設するなど、特に限定されるものではないが、頭冠を軸筒後端部にネジ嵌合することで、組立性が良好となるので好ましい。
【００３０】
また、筆記具用インキも特に限定されるものではないが、粒子の平均の大きさが０．１〜３０μｍの顔料を含有し、前記ボールの縦方向のクリアランスが、３０〜８０μｍ、１００ｍ当たりのインキ消費量が、２００〜８００ｍｇとすることで、濃く良好な筆跡及び良好な筆感を得ることができる。これは、ボールの縦方向のクリアランスが３０μｍ未満では、粒子の平均の大きさが０．１〜３０μｍの顔料を有する筆記具用水性インキにおいて、１００ｍ当たりのインキ消費量が２００〜８００ｍｇのようなインキ消費量を多くすることが困難であるとともに、８０μｍを超えると、インキ消費量が多く、筆跡乾燥性が低下する恐れがあるため、３０から８０μｍとすることが最も好ましいためである。
【産業上の利用可能性】
【００３１】
本発明の多芯筆記具は、インキの種類に限定されることなく、スライド式の多芯筆記具として広く実施可能である。
【符号の説明】
【００３２】
１  スライド式の多芯筆記具
２  前軸
２Ａ  先端開口部
３  後軸
３Ａ、３Ｂ、３Ｃ  摺動溝
３Ｄ  装着溝
３ＤＡ  開口部
３Ｆ  雄ネジ部
４  頭冠
４Ａ  雌ネジ部
５  弾性部
６、２２、２３  摺動体
６Ａ  操作部
７  スプリング支持部
９、１３  筆記体
１０、１４  インキ収容筒
１２、１６  筆記部
１７  コイルスプリング
１８  クリップ台
１８Ａ  支柱
１８Ｂ  係止部
１９  クリップ片
２０  クリップ
【図１】
0005908234.tif 000002
【図２】
0005908234.tif 000003
【図３】
0005908234.tif 000004
【図４】
0005908234.tif 000005
【図５】
0005908234.tif 000006
【図６】
0005908234.tif 000007